(57)【要約】【課題】隣接して設置された一対の遊技機の間で効果的に分煙することができる分煙装置を提供する。【解決手段】隣接して設置された一対の遊技機４の間で分煙するための分煙装置１４であって、空気を供給する送風機１８と、一対の遊技機４の前方空間３６を一対の遊技機４の間で仕切るためのボード部材３８と、ボード部材３８に配置され、且つ、送風機１８から供給された空気が流れるダクト部材４０と、ダクト部材４０に設けられ、且つ、ダクト部材４０を流れる空気を一対の遊技機４の少なくとも一方の上方に向けて吹き出す吹出部４４と、を備える。【選択図】図３
2016019617.tif 000002
【特許請求の範囲】
【請求項１】
隣接して設置された一対の遊技機の間で分煙するための分煙装置であって、
空気を供給する送風機と、
前記一対の遊技機の前方空間を前記一対の遊技機の間で仕切るためのボード部材と、
前記ボード部材に配置され、且つ、前記送風機から供給された空気が流れるダクト部材と、
前記ダクト部材に設けられ、且つ、前記ダクト部材を流れる空気を前記一対の遊技機の少なくとも一方の上方に向けて吹き出す吹出部と、を備える
分煙装置。
【請求項２】
前記ダクト部材は、前記ボード部材の周縁部に沿って配置された第１のダクト部材を有する
請求項１に記載の分煙装置。
【請求項３】
前記ダクト部材は、さらに、前記第１のダクト部材から分岐して延び、且つ、前記ボード部材の側面に配置された第２のダクト部材を有する
請求項２に記載の分煙装置。
【請求項４】
前記ボード部材の側面には、前記一対の遊技機の一方の上方に向けて延びる複数の溝部が設けられている
請求項１〜３のいずれか１項に記載の分煙装置。
【請求項５】
前記ボード部材は、前記一対の遊技機の間に収納される第１の位置と、前記一対の遊技機の間から外部に引き出され、且つ、前記一対の遊技機の前記前方空間を前記一対の遊技機の間で仕切る第２の位置との間をスライド可能である
請求項１〜４のいずれか１項に記載の分煙装置。
【請求項６】
前記分煙装置は、さらに、前記遊技機の上方に配置され、且つ、前記吹出部から吹き出された空気を吸い込む吸気装置を備える
請求項１〜５のいずれか１項に記載の分煙装置。
【発明の詳細な説明】
【技術分野】
【０００１】
本発明は、隣接して設置された一対の遊技機の間で分煙するための分煙装置に関する。
【背景技術】
【０００２】
パチンコ店等の遊技場では、パチンコ機又はスロット機等の遊技機が数台〜十数台程度、横方向に並んで設置されている。隣接して設置された一対の遊技機の間隔は比較的狭いため、各遊技者は互いに接近した状態で遊技を行うようになる。そのため、喫煙者及び非喫煙者がそれぞれ隣接して設置された一対の遊技機で遊技を行う場合には、喫煙者が吸った煙草の煙が隣の遊技機の遊技エリアに流れ込んでしまい、非喫煙者が不快な思いをすることがある。
【０００３】
そこで、従来、隣接して設置された一対の遊技機の間で分煙するための分煙ボードが提案されている（例えば、特許文献１参照）。この分煙ボードは、隣接して設置された一対の遊技機の前方空間を一対の遊技機の間で仕切るようにして配置されている。
【先行技術文献】
【特許文献】
【０００４】
【特許文献１】登録実用新案第３１３６４３２号公報
【発明の概要】
【発明が解決しようとする課題】
【０００５】
しかしながら、上述した従来の分煙ボードでは、次のような課題が生じる。遊技場内の風向きによっては、喫煙者が吸った煙草の煙が分煙ボードの上方を通り越して隣の遊技機の遊技エリアに流れ込むおそれがあり、効果的に分煙することができないという課題が生じる。
【０００６】
本発明は、上述した課題を解決しようとするものであり、その目的は、隣接して設置された一対の遊技機の間で効果的に分煙することができる分煙装置を提供することである。
【課題を解決するための手段】
【０００７】
上記目的を達成するために、本発明の一態様に係る分煙装置は、隣接して設置された一対の遊技機の間で分煙するための分煙装置であって、空気を供給する送風機と、前記一対の遊技機の前方空間を前記一対の遊技機の間で仕切るためのボード部材と、前記ボード部材に配置され、且つ、前記送風機から供給された空気が流れるダクト部材と、前記ダクト部材に設けられ、且つ、前記ダクト部材を流れる空気を前記一対の遊技機の少なくとも一方の上方に向けて吹き出す吹出部と、を備える。
【０００８】
本態様によれば、ボード部材には、送風機から供給された空気が流れるダクト部材が配置されている。ダクト部材を流れる空気は、ダクト部材に設けられた吹出部から一対の遊技機の少なくとも一方の上方に向けて吹き出される。これにより、吹出部から遊技機の上方に向かう気流が発生するので、遊技者が吸った煙草の煙は、吹出部から吹き出された空気とともに、遊技機の上方に向けて流れるようになる。その結果、遊技者が吸った煙草の煙がボード部材の上方を通り越して隣の遊技機の遊技エリアに流れ込むのを抑制することができ、隣接して設置された一対の遊技機の間で効果的に分煙することができる。
【０００９】
さらに、遊技者が吸った煙草の煙が当該遊技者の背後にある通路等に流れ込むのを抑制することもできる。これにより、通路等を移動している他の遊技者等に向けて煙草の煙が流れるのを抑制することができ、高い分煙効果を得ることができる。
【００１０】
例えば、本発明の一態様に係る分煙装置において、前記ダクト部材は、前記ボード部材の周縁部に沿って配置された第１のダクト部材を有するように構成してもよい。
【００１１】
本態様によれば、第１のダクト部材は、ボード部材の周縁部に沿って配置されているので、遊技者が吸った煙草の煙を遊技機の上方に向けて効果的に導くことができ、分煙効果を高めることができる。
【００１２】
例えば、本発明の一態様に係る分煙装置において、前記ダクト部材は、さらに、前記第１のダクト部材から分岐して延び、且つ、前記ボード部材の側面に配置された第２のダクト部材を有するように構成してもよい。
【００１３】
本態様によれば、第２のダクト部材は、第１のダクト部材から分岐して延び、且つ、ボード部材の側面に配置されているので、遊技者が吸った煙草の煙を遊技機の上方に向けてより一層効果的に導くことができ、分煙効果をより一層高めることができる。
【００１４】
例えば、本発明の一態様に係る分煙装置において、前記ボード部材の側面には、前記一対の遊技機の一方の上方に向けて延びる複数の溝部が設けられているように構成してもよい。
【００１５】
本態様によれば、ボード部材の側面には複数の溝部が設けられている。これにより、喫煙者が吸った煙草の煙の一部が遊技機の上方に流れずに、ボード部材の側面に向けて流れた場合には、煙草の煙が複数の溝部の各々に沿って遊技機の上方に向けて流れるようになる。これにより、遊技者が吸った煙草の煙を遊技機の上方に向けて効果的に導くことができる。
【００１６】
例えば、本発明の一態様に係る分煙装置において、前記ボード部材は、前記一対の遊技機の間に収納される第１の位置と、前記一対の遊技機の間から外部に引き出され、且つ、前記一対の遊技機の前記前方空間を前記一対の遊技機の間で仕切る第２の位置との間をスライド可能であるように構成してもよい。
【００１７】
本態様によれば、ボード部材は第１の位置と第２の位置との間をスライド可能であるので、分煙する必要の無い場合には、ボード部材を第１の位置にスライドさせることにより一対の遊技機の間に収納することができる。
【００１８】
例えば、本発明の一態様に係る分煙装置において、前記分煙装置は、さらに、前記遊技機の上方に配置され、且つ、前記吹出部から吹き出された空気を吸い込む吸気装置を備えるように構成してもよい。
【００１９】
本態様によれば、分煙装置は吸気装置を備えているので、遊技者が吸った煙草の煙を、吹出部から吹き出された空気とともに吸気装置に吸い込ませることができる。これにより、遊技者が吸った煙草の煙が遊技場等の内部に拡散するのを抑制することができる。
【発明の効果】
【００２０】
本発明の一態様に係る分煙装置によれば、隣接して設置された一対の遊技機の間で効果的に分煙することができる。
【図面の簡単な説明】
【００２１】
【図１】実施の形態１に係る分煙装置が設置された遊技機島の一部を示す斜視図である。
【図２】一対の分煙ボードをそれぞれ第２の位置にスライドさせた状態での遊技機島の一部を示す斜視図である。
【図３】図２中のＡ−Ａ線による遊技機島の概略断面図である。
【図４】図２中のＢ−Ｂ線による分煙ボードの断面図である。
【図５】図２中のＣ−Ｃ線による分煙ボードの断面図である。
【図６】実施の形態１に係る分煙装置の使用状態を示す図である。
【図７】実施の形態２に係る分煙装置が設置された遊技機島の概略断面図である。
【図８】実施の形態２に係る分煙装置の分煙ボードの断面図である。
【図９】実施の形態３に係る分煙装置が設置された遊技機島の概略断面図である。
【発明を実施するための形態】
【００２２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２３】
（実施の形態１）
［遊技機島の概略構成］
まず、図１を参照しながら、実施の形態１に係る分煙装置１４（後述する）が設置された遊技機島２の概略構成について説明する。図１は、実施の形態１に係る分煙装置が設置された遊技機島の一部を示す斜視図である。
【００２４】
図１に示すように、例えばパチンコ店等の遊技場内には遊技機島２が設置されている。遊技機島２には、複数（例えば数台〜数十台程度）の遊技機４が横方向（Ｘ軸方向）に並んで設置されている。複数の遊技機４の各々は、例えばパチンコ機であり、支持台６上に支持されている。遊技機島２には、さらに、パチンコ玉等の遊技媒体の貸し出しを行うための台間機８が設置されている。台間機８は、複数の遊技機４の各々の左横に隣接して配置されている。複数の遊技機４の各々の下方には、玉箱等（図示せず）を置くためのカウンタ１０が設置されている。
【００２５】
なお、後述する図３に示すように、遊技場内にはさらに、複数の椅子１２が複数の遊技機４の各々に対応して設置されている。遊技者は、椅子１２に座りながら遊技機４で遊技を行う。
【００２６】
［分煙装置の構成］
上述した遊技機島２には、さらに、隣接する一対の遊技機４の間で分煙するための分煙装置１４が設置されている。次に、図２〜図５を参照しながら、実施の形態１に係る分煙装置１４の構成について説明する。図２は、一対の分煙ボードをそれぞれ第２の位置にスライドさせた状態での遊技機島の一部を示す斜視図である。図３は、図２中のＡ−Ａ線による遊技機島の概略断面図である。図４は、図２中のＢ−Ｂ線による分煙ボードの断面図である。図５は、図２中のＣ−Ｃ線による分煙ボードの断面図である。
【００２７】
図２及び図３に示すように、分煙装置１４は、吸気装置１６、送風機１８、接続チューブ２０及び分煙ボード２２を備えている。
【００２８】
吸気装置１６は、空気を吸い込むためのものであり、遊技機島２の上端部に配置されている。吸気装置１６は、吸気ダクト２４及び吸気ファン２６を有している。吸気ダクト２４は、横方向（Ｘ軸方向）に延びており、複数の遊技機４の各々の上端部を跨るようにして配置されている。吸気ダクト２４には、複数の遊技機４の各々に対応して、複数の吸気口２８が設けられている。吸気ファン２６は、吸気ダクト２４の内部に配置されている。吸気ファン２６が回転することにより、空気が複数の吸気口２８の各々から吸気ダクト２４の内部に吸い込まれる。
【００２９】
送風機１８は、空気を供給するためのものであり、遊技機４の背面側に配置されている。送風機１８の筐体３０の内部には、送風ファン３２が配置されている。送風ファン３２の回転により発生した空気は、筐体３０に設けられた供給口３４から外部に供給される。
【００３０】
接続チューブ２０は、送風機１８の供給口３４とダクト部材４０（後述する）の第１の端部４１ａとを相互に接続するためのものであり、遊技機４の背面側に配置されている。接続チューブ２０は、例えば可撓性を有するビニルチューブ等で構成されている。
【００３１】
分煙ボード２２は、隣接する遊技機４と台間機８との間に配置されている。分煙ボード２２は、隣接する遊技機４と台間機８との間に設置されたガイドレール（図示せず）に沿って、第１の位置（図１参照）と第２の位置（図２、図３及び図６参照）との間をＹ軸方向にスライド可能である。分煙ボード２２は、第１の位置に位置している際には、隣接する遊技機４と台間機８との間（すなわち、隣接して設置された一対の遊技機４の間）に収納されるようになる。分煙ボード２２は、第２の位置に位置している際には、一対の遊技機４の間から外部に引き出されることにより、一対の遊技機４の前方空間３６を一対の遊技機４の間で仕切るようになる。遊技者は、分煙ボード２２の周縁部等を手で掴むことにより、分煙ボード２２を第１の位置と第２の位置との間でスライドさせることができる。
【００３２】
分煙ボード２２は、ボード部材３８及びダクト部材４０（第１のダクト部材）を有している。ボード部材３８は、例えば半透明のガラス等で形成されている。ダクト部材４０は、例えば断面が矩形状のダクトであり、ボード部材３８の周縁部に沿って配置されている。図４に示すように、ダクト部材４０の内部には、空気が流れる流路４２が形成されている。ダクト部材４０の第１の端部４１ａは、ボード部材３８の下端部における遊技機４の背面側に配置されている。第１の端部４１ａには、上述した接続チューブ２０が接続されている。一方、ダクト部材４０の第２の端部４１ｂは、ボード部材３８の上端部における遊技機４の背面側に配置されている。第２の端部４１ｂには何も接続されておらず、第２の端部４１ｂの開口部は開放されている。
【００３３】
図２、図３及び図５に示すように、ダクト部材４０の一対の側面４０ａ，４０ｂにはそれぞれ、複数の吹出部４４が設けられている。なお、ダクト部材４０の一対の側面４０ａ，４０ｂはそれぞれ、隣接して設置された一対の遊技機４の一方側及び他方側に面している。複数の吹出部４４の各々は、ダクト部材４０の側面４０ａ，４０ｂを貫通する略円形状の孔である。複数の吹出部４４は、ダクト部材４０の延びる方向に沿って間隔を置いて配置されている。図５に示すように、複数の吹出部４４の各々には、当該吹出部４４から吹き出された空気が吸気装置１６の吸気口２８（すなわち、遊技機４の上方）に向かうように、三次元的な吹き出し角度が付与されている。
【００３４】
［分煙装置の使用方法］
次に、図２〜図６を参照しながら、上述した分煙装置１４の使用方法について説明する。図６は、実施の形態１に係る分煙装置の使用状態を示す図である。
【００３５】
遊技者は、遊技機４で遊技を行う際に、当該遊技機４とこれに隣接する遊技機４との間で分煙したい場合がある。このような場合、遊技者は、図２、図３及び図６に示すように、当該遊技機４の両側に配置された一対の分煙ボード２２をそれぞれ第１の位置から第２の位置までスライドさせる。図３に示すように、送風機１８からの空気は、接続チューブ２０を介してダクト部材４０に供給される。
【００３６】
なお、送風機１８は、分煙ボード２２のスライド動作と連動して駆動制御されるようにしてもよい。例えば、送風機１８は、分煙ボード２２が第１の位置から第２の位置にスライドした際に駆動を開始し、分煙ボード２２が第２の位置から第１の位置にスライドした際に駆動を停止するようにしてもよい。
【００３７】
図４に示すように、ダクト部材４０に供給された空気は、ダクト部材４０内の流路４２を第１の端部４１ａから第２の端部４１ｂに向けて流れるようになる。このとき、図３及び図６中の矢印で示すように、流路４２を流れる空気の一部は、複数の吹出部４４の各々から吸気装置１６の吸気口２８に向けて吹き出される。これにより、遊技機４の遊技エリア４５では、複数の吹出部４４の各々から吸気装置１６の吸気口２８に向かう気流が発生するようになる。そのため、図３及び図６に示すように、遊技者が吸った煙草４６の煙は、複数の吹出部４４の各々から吹き出された空気とともに、吸気装置１６の吸気口２８に吸い込まれるようになる。
【００３８】
なお、説明の都合上、図６では、ダクト部材４０の一対の側面４０ａ，４０ｂのうち一方に設けられた複数の吹出部４４の各々から空気が吹き出された状態を図示している。実際には、ダクト部材４０の一対の側面４０ａ，４０ｂのうち他方に設けられた複数の吹出部４４の各々からも空気が吹き出されていることは言うまでもない。
【００３９】
［効果］
次に、本実施の形態の分煙装置１４により得られる効果について説明する。上述したように、遊技者が吸った煙草４６の煙は、複数の吹出部４４の各々から吹き出された空気とともに、吸気装置１６の吸気口２８に吸い込まれる。これにより、遊技者が吸った煙草４６の煙が分煙ボード２２の上方を通り越して隣の遊技機４の遊技エリア４５に流れ込むのを抑制することができる。したがって、隣接して設置された一対の遊技機４の間で効果的に分煙することができる。
【００４０】
さらに、遊技者が吸った煙草４６の煙が当該遊技者の背後にある通路４８等に流れ込むのを抑制することもできる。これにより、通路４８を移動している他の遊技者等に向けて煙草４６の煙が流れるのを抑制することができ、高い分煙効果を得ることができる。
【００４１】
（実施の形態２）
次に、図７及び図８を参照しながら、実施の形態２に係る分煙装置１４Ａの構成について説明する。図７は、実施の形態２に係る分煙装置が設置された遊技機島の概略断面図である。図８は、実施の形態２に係る分煙装置の分煙ボードの断面図である。なお、図７は、図２中のＡ−Ａ線に対応する断面図であり、図８は、図２中のＣ−Ｃ線に対応する断面図である。以下の各実施の形態において、上記実施の形態１と同一の構成要素には同一の符号を付して、その説明を省略する。
【００４２】
図７及び図８に示すように、本実施の形態の分煙装置１４Ａでは、分煙ボード２２Ａのボード部材３８Ａの側面には、遊技機４の上方に向けて長尺状に延びる複数の溝部５０が設けられている。複数の溝部５０は、互いに間隔を置いて、且つ、互いに略平行に延びている。図８に示すように、複数の溝部５０の各々は、ボード部材３８Ａの側面の一部を凹ませることにより形成されている。
【００４３】
上記実施の形態１で説明したように、遊技者が吸った煙草４６の煙は、複数の吹出部４４の各々から吹き出された空気とともに、吸気装置１６の吸気口２８に吸い込まれる。一方、吸気装置１６の吸気口２８に吸い込みきれなかった煙の一部は、ボード部材３８Ａの側面に向けて流れるようになる。図７中の矢印で示すように、ボード部材３８Ａの側面に向けて流れた煙は、複数の溝部５０の各々に沿って遊技機４の上方（すなわち、吸気装置１６の吸気口２８）に向けて流れる。これにより、遊技者が吸った煙草４６の煙を吸気装置１６の吸気口２８に向けて効果的に導くことができる。
【００４４】
（実施の形態３）
次に、図９を参照しながら、実施の形態３に係る分煙装置１４Ｂの構成について説明する。図９は、実施の形態３に係る分煙装置が設置された遊技機島の概略断面図である。なお、図９は、図２中のＡ−Ａ線に対応する断面図である。
【００４５】
図９に示すように、本実施の形態の分煙装置１４Ｂでは、分煙ボード２２Ｂは、第１のダクト部材５２及び複数の第２のダクト部材５４を有している。第１のダクト部材５２は、上記実施の形態１で説明したダクト部材４０と同様に、ボード部材３８の周縁部に配置されている。複数の第２のダクト部材５４の各々は、第１のダクト部材５２から分岐して延び、且つ、ボード部材３８の側面に配置されている。なお、複数の第２のダクト部材５４の各々の先端部５４ａには何も接続されておらず、各先端部５４ａの開口部は開放されている。第１のダクト部材５２及び複数の第２のダクト部材５４にはそれぞれ、複数の吹出部４４が設けられている。
【００４６】
図９に示すように、送風機１８からの空気は、接続チューブ２０を介して第１のダクト部材５２に供給される。第１のダクト部材５２に供給された空気は、第１のダクト部材５２の内部を第１の端部５２ａから第２の端部５２ｂに向けて流れるようになる。第１のダクト部材５２の内部を流れる空気の一部は、複数の第２のダクト部材５４の各々の内部に供給されるようになる。第２のダクト部材５４に供給された空気は、第２のダクト部材５４の内部を先端部５４ａに向けて流れるようになる。
【００４７】
第１のダクト部材５２を流れる空気の一部は、第１のダクト部材５２に設けられた複数の吹出部４４の各々から吸気装置１６の吸気口２８に向けて吹き出される。同様に、複数の第２のダクト部材５４の各々を流れる空気の一部は、第２のダクト部材５４に設けられた複数の吹出部４４の各々から吸気装置１６の吸気口２８に向けて吹き出される。これにより、遊技者が吸った煙草４６の煙は、複数の吹出部４４の各々から吹き出された空気とともに、吸気装置１６の吸気口２８により一層効率良く吸い込まれるようになる。
【００４８】
（変形例）
以上、本発明の実施の形態１〜３に係る分煙装置について説明したが、本発明は、上記各実施の形態に限定されるものではない。例えば、上記各実施の形態を組み合わせてもよい。
【００４９】
上記各実施の形態では、遊技機４をパチンコ機で構成したが、これに限定されず、例えば遊技機４をスロット機等で構成してもよい。
【００５０】
上記各実施の形態では、吸気装置１６を遊技機４の上端部に配置したが、これに限定されず、例えば吸気装置１６を遊技機４の上方にある遊技場内の天井面に配置してもよい。
【００５１】
上記実施の形態１及び２では、ダクト部材４０の断面を矩形状に構成したが、これに限定されず、例えばダクト部材４０の断面を略円形状等に構成してもよい。この変形例については、上記実施の形態３における第１のダクト部材５２及び第２のダクト部材５４についても同様である。
【００５２】
上記実施の形態２では、ボード部材３８Ａの側面の一部を凹ませることにより、ボード部材３８Ａの側面に複数の溝部５０を形成したが、これに限定されない。例えば、ボード部材３８Ａの側面に長尺状の複数のガイド部材（図示せず）を互いに間隔を置いて且つ互いに略平行に取り付けることにより、ボード部材３８Ａの側面（すなわち、隣接する一対のガイド部材の間）に複数の溝部を形成することもできる。
【産業上の利用可能性】
【００５３】
本発明の分煙装置は、パチンコ店等の遊技場内に設置された遊技機島等に搭載することができる。
【符号の説明】
【００５４】
２  遊技機島
４  遊技機
６  支持台
８  台間機
１０  カウンタ
１２  椅子
１４，１４Ａ，１４Ｂ  分煙装置
１６  吸気装置
１８  送風機
２０  接続チューブ
２２，２２Ａ，２２Ｂ  分煙ボード
２４  吸気ダクト
２６  吸気ファン
２８  吸気口
３０  筐体
３２  送風ファン
３４  供給口
３６  前方空間
３８，３８Ａ  ボード部材
４０  ダクト部材
４０ａ，４０ｂ  側面
４１ａ  第１の端部
４１ｂ  第２の端部
４２  流路
４４  吹出部
４５  遊技エリア
４６  煙草
４８  通路
５０  溝部
５２  第１のダクト部材
５４  第２のダクト部材
５４ａ  先端部
【図１】
2016019617.tif 000003
【図２】
2016019617.tif 000004
【図３】
2016019617.tif 000005
【図４】
2016019617.tif 000006
【図５】
2016019617.tif 000007
【図６】
2016019617.tif 000008
【図７】
2016019617.tif 000009
【図８】
2016019617.tif 000010
【図９】
2016019617.tif 000011